(57)【特許請求の範囲】
【請求項１】
少なくとも１種の芳香構成物と、
下記式（ＩＩ）：
【化１】
0005980774.tif 000024
（II）
（式中、Ｒ１はエチル又はｎ−ブチルである）
又は下記式（ＩＩＩ）：
【化２】
0005980774.tif 000025
（III）
（式中、Ｒ１はエチルである）のアルキルケタールエステルとを含む、芳香製剤。
【請求項２】
(ａ)パラフィン系、ナフタレン系又は芳香族系の鉱油；
(ｂ)４５℃未満の融点と、少なくとも１９０の分子量と、アミド基又はエステル基と、少なくとも８個の炭素原子を含有するアルキル鎖と、水９９部中１部以下である水への溶解度とを有する非イオン性有機化合物；
(ｃ)４５℃未満の融点と、水９９部中１部以下である水への溶解度とを有する非イオン性有機シリコーン化合物；
(ｄ)長鎖アルコール；及び
(ｅ)ワックス
の少なくとも１つを更に含む、請求項１に記載の芳香製剤。
【請求項３】
水性相及び油相を含むエマルションの形態であり、該水性相が前記アルキルケタールエステルを含み、該アルキルケタールエステルが部分的又は完全に水混和性である、請求項１に記載の芳香製剤。
【請求項４】
水性相及び油相を含むエマルションの形態であり、該油相が前記アルキルケタールエステルを含む、請求項１に記載の芳香製剤。
【請求項５】
前記製剤の総量に対し０．００１重量％〜４０重量％の芳香構成物を含む請求項１に記載の芳香製剤。
【請求項６】
ロウソクの形態である、請求項１に記載の芳香製剤。
【請求項７】
芳香構成物と下記式（ＩＩ）：
【化３】
0005980774.tif 000026
（II）
（式中、Ｒ１はエチル又はｎ−ブチルである）
又は下記式（ＩＩＩ）：
【化４】
0005980774.tif 000027
（III）
（式中、Ｒ１はエチルである）のアルキルケタールエステルとを混合する工程を備える方法。
【請求項８】
前記アルキルケタールエステルを用いて前記芳香構成物を抽出する工程を更に備える、請求項７に記載の方法。
【請求項９】
前記芳香構成物に追加の前記式（ＩＩ）又は式（ＩＩＩ）のアルキルケタールエステルを加える工程を更に備える、請求項８に記載の方法。
【請求項１０】
前記アルキルケタールエステルと抽出された前記芳香構成物との混合物からアルキルケタールエステルを除去する工程を更に備える、請求項８に記載の方法。
【請求項１１】
芳香構成物と、下記式（ＩＩ）：
【化５】
0005980774.tif 000028
（II）
（式中、Ｒ１はエチル又はｎ−ブチルである）
又は下記式（ＩＩＩ）：
【化６】
0005980774.tif 000029
（III）
（式中、Ｒ１はエチルである）のアルキルケタールエステルとを含む物品。
【請求項１２】
ボディーローション、シャンプー、マッサージオイル、パフュームスティック、パフュームランタン、芳香剤、ロウソク、塗料、ワニス、家具手入れ用品、防虫剤、インポリマー、清浄剤、洗剤、化粧品、トイレタリー用品、薬用化粧品、美容補助品、並びにヒト及び動物の皮膚、毛髪、頭皮及び爪に施す個人衛生及び洗浄製品からなる群より選択される、請求項１１に記載の物品。
【請求項１３】
ハウスホールドケア用品の形態である、請求項１１に記載の物品。
【請求項１４】
ヘルスケア製品の形態である、請求項１１に記載の物品。
【発明の詳細な説明】
【技術分野】
【０００１】
本開示は、フレグランス製剤及び風味料製剤（以後一緒に芳香製剤と呼ぶ）に関する。より具体的には、本発明は、アルキルケタールエステルを溶媒、共溶媒又は定着剤として用いる芳香製剤を対象とする。
【背景技術】
【０００２】
風味は、食品又は別の物質の感覚印象であり、主として味及び匂いの化学的感覚によって決定される。口及び喉における化学性刺激物並びに温度及び質感を検出する「三叉神経感覚」は、風味知覚の全体的なゲシュタルトにとって重要である。食品の風味は、これらの感覚に影響する天然の又は人工的な風味料で変えることができる。風味化合物は、調理食品、飲料品、乳製品、食品及び菓子製品のような消費者製品への使用のために食品及び飲料業界に販売される。
【０００３】
風味料は、別の物質に風味を与え、溶質の特性を変更し、それを甘く、酸っぱく又はぴりっとするなどとする物質として定義される。３つの化学的感覚のうち、匂いが食品の風味の主たる決定要因である。食品の味は甘み、酸味、苦味、塩味及び良い味（旨味）−基本的な味−に限られる一方、食品の匂いは潜在的に無限である。従って、食品の風味は、その味を同じように保ちながら、その匂いを変化させることによって容易に変えることができる。人工的に風味付けたゼリー、ソフトドリンク及びキャンディで例示されるよりも良いものはなく、同様な味を有するベースから作られながら、異なる香り又はフレグランスの使用のために劇的に異なる風味を有する。通常製造される食品の調味料は一般にフレーバリストによって創出される。
【０００４】
一般的言語における「調味料」又は「風味料」という用語は味及び匂いを組み合わせた化学的知覚を示すが、同じ用語がフレグランス及び風味産業では匂いの感覚による食物及び食品の風味を変える食用の化学物質及び抽出物を指すのに通常用いられている。天然の風味抽出物の高コスト又は入手困難性のため、大部分の市販の風味料は、ネイチャーアイデンティカルであり、天然風味の化学的等価物であるが原料物質から抽出されたのではなく化学的に合成されたことを意味する。風味料は、フレグランスを固形物質又は気体に加えるのとほぼ同じ方法及びほぼ同じ理由で、すなわち香りを高めるためか又は悪臭をカモフラージュするために、飲料、食料品またヘルスケア製品（例えば、歯磨き粉、マウスウォッシュなど）に加えられる。  
【０００５】
芳香製剤は、様々な製品に加えられて香りを送達する。例えば、これら芳香製剤をしばしば消費者製品に加えて、新鮮な（又は清浄な）香りを標的基材（例えば織物、硬表面、皮膚、毛髪など）に送達し、また嗅覚上の美的利益を提供する。これらをしばしば気体及び工業製品に加えて悪臭をカモフラージュする（例えば、芳香剤、ロウソク）か、又は無臭気体に加えて検出を容易にする（例えば、メタン及び二酸化炭素）。
【０００６】
実質的な芳香構成物（「永続的なフレグランス」としても既知）は、基材上に例えば洗浄処理で、又は食品上に効果的に堆積するものであり、嗅覚系により検出可能である。芳香製剤を製造する分野の当業者は、特定の実質的な芳香構成物（一般に、かかる成分は重く、不溶性且つ不揮発性である）の幾らかの知識を通常有している。
【０００７】
芳香構成物をしばしば溶媒のような他の成分と組み合わせて、フレグランス製剤を形成する。溶媒は、芳香製剤中の様々な構成成分、若しくは所望の性能基準を満たす最終製品を作るのに有用な他の成分を可溶化又は相溶化するために用いることができる。
【発明の概要】
【発明が解決しようとする課題】
【０００８】
フレグランス製剤中の現在の溶媒を不利でない他の溶媒と置き換えることが望まれる。他の事例では、コストを低減し、簡単に調合するために、様々な製剤構成成分の量を減らす必要がある。また、濃縮物を生成するためか又は比較的不溶性の成分を溶解するために、成分の溶解度を増加させる必要がある。単一構成物中に多種多様な成分を溶解することが必要な場合もある。本発明は、これらの必要性を解決することにある。
【課題を解決するための手段】
【０００９】
本発明の一態様は、少なくとも一つの芳香構成物と、下記式（１）
【化１】
0005980774.tif 000002
（１）
（式中、ａは０又は１〜１２の整数であり；ｂは０又は１であり；Ｒ２は任意で最高５個のヒドロキシル基で置換されていてもよい二価のＣ１−８基であり；Ｒ１はＣ１−６アルキルである）のアルキルケタールエステルとを含む芳香製剤である。
【００１０】
本発明の別の態様は、芳香構成物と、下記式（１）
【化２】
0005980774.tif 000003
（１）
（式中、ａは０又は１〜１２の整数であり；ｂは０又は１であり；Ｒ２は任意で最高５個のヒドロキシル基で置換されていてもよい二価のＣ１−８基であり；Ｒ１はＣ１−６アルキルである）のアルキルケタールエステルとを混合する工程を備える方法である。
【００１１】
本発明の更なる別態様は、芳香構成物と、下記式（Ｉ）
【化３】
0005980774.tif 000004
I
（式中、ａは０又は１〜１２の整数であり；ｂは０又は１であり；Ｒ２は任意で最高５個のヒドロキシル基で置換されていてもよい二価のＣ１−８基であり；Ｒ１はＣ１−６アルキルである）のアルキルケタールエステルとを含む物品である。
【発明を実施するための形態】
【００１２】
［詳細な説明］
本明細書で用いる「芳香構成物」という用語は、活性な香気化合物（匂い又は風味又はその両方）のような芳香化合物を指す。芳香構成物は、単一の香気成分又は複数の香気成分の混合物とすることができる。
【００１３】
本明細書で用いる「芳香料構成物」という用語は、匂い目的で用いる芳香構成物を指す。
【００１４】
本明細書で用いる「風味料」又は「風味料構成物」という用語は、味目的で用いる芳香構成物を指す。
【００１５】
本明細書で用いる「フレグランス製剤」という用語は、芳香構成物に溶媒と任意の他の付加構成成分を加えたものを指す。フレグランス製剤は風味又は匂い又はその両方用とすることができる。
【００１６】
本明細書で用いる「芳香料製剤」という用語は、具体的には匂い目的の製剤形態である。これは、溶媒及び任意の他の付加的な構成成分に加えて芳香料構成物（即ち、匂い分子）を含有できる。
【００１７】
製品内有効寿命、送達効率及び様々な基材上での寿命又は持続性を含む芳香製剤性能の向上を見出す努力が続いている。例えば、清浄化製品における相当量の芳香料が、使用中洗浄水で及び乾燥により失われる。これら処理条件を克服し、基材上に残る芳香料材料が最低量の材料で最大の匂い効果を提供することを確実にできることが望ましい。すなわち、高度に実質的な芳香料材料を創出できる必要がある。
【００１８】
上述したように、芳香構成物をしばしば溶媒のような他の成分と組み合わせてフレグランス製剤を形成する。溶媒は、芳香製剤中の様々な成分若しくは所望の性能基準を満たす最終製品を作るのに有用な他の成分を可溶化又は相溶化するために用いることができる。エタノールは、フレグランス成分用の良好な可溶化剤を構成し、更に高価で無く、透明な製剤の形成を可能にするという利点を有する。しかしながら、エタノールは、その潜在的な匂いだけでなく芳香構成物と反応して匂い及び/又は色を改変するという能力のため、芳香構成物の嗅覚特性に悪影響を及ぼす欠点を有する。エタノールはまた、大気中の窒素酸化物と化学的に反応してオゾンを形成することができ、この点で大気汚染の原因を構成する。さらに、エタノールは、特定の管轄下でＶＯＣ（揮発性有機化合物）規則の対象である。従って、エタノールを避ける努力がなされている。エタノールはまた、刺激物であり、敏感であるか又は損傷した皮膚に適用する際、特にシェービング後に、刺通の原因となり得る。
【００１９】
芳香構成物とアルキルケタールエステルとを含む芳香製剤を本明細書中で開示する。この芳香製剤は制汗剤、デオドラント、クリーナー、石鹸、香水、コロン、ロウソク、家具用研磨剤、化学製品などのような様々な用途で有利に用いることを可能にする広範な特性の組み合わせを提供する。一実施形態では、芳香製剤を飲料、食品、スナック、ヘルスケア製品及びその他の可食品目に用いることができる。
【００２０】
アルキルケタールエステル類の広範な溶解度及び可溶化特性は、それらを水性及び有機製剤を含む多種多様な芳香製剤で有用にする。アルキルケタールエステルは、混合水性−有機芳香製剤、及びワックスを含有する非水性の芳香製剤において特に有用である。さらなる利点は、レブリン酸エステルケタールのような特定タイプのアルキルケタールエステルを生物学的原料から得ることができることにある。アルキルケタールエステルを芳香構成物における溶媒並びに定着剤の両方として有利に用いることができる。
【００２１】
一実施形態では、アルキルケタールエステルを用いて、天然に存在する物質から精油及び芳香分子を抽出し得る。アルキルケタールエステルの可溶化能力を有利に用いて、精油を抽出することができる。抽出に続いて、抽出物を他の添加剤で更に処理し、消費者製品、工業製品、食料及び飲料における芳香製剤として使用してもよい。アルキルケタールエステルを精油の抽出に用いる場合、その後追加のアルキルケタールエステルを最終芳香製剤に加える必要がないことがある。あるいは、所望の物性を有する芳香製剤を提供するために、抽出に用いたアルキルケタールエステルの幾らかを精油から除去することが望ましい場合がある。
【００２２】
芳香製剤は、一般に、使用者の曝露の間に放出する（製品が蒸発する際の匂いの放出又は製品が消費される際の風味の放出のように）特定の官能プロフィールのトップノート、ミドルノート及びベースノートを有するように作られる。トップノート、ミドルノート及びベースノートは、別々の官能特性及び支持成分を有し得る。一実施形態では、アルキルケタールエステルがフレグランス定着剤として効果的に機能し、芳香製剤の効果を持続させてフレグランス寿命を著しく延ばすことができる。
【００２３】
本発明で有用なアルキルケタールエステルは、一般構造Ｉ：
【化４】
0005980774.tif 000005
I
（式中、ａは０又は１〜１２、具体的には１〜６、より具体的には１〜４の整数であり；ｂは０又は１であり；Ｒ２は任意に最高５個のヒドロキシル基で置換されてもよい二価のＣ１−８基、具体的には、メチレン、エチリデン（＞ＣＨ−ＣＨ３）、＞ＣＨ−ＣＨ２ＯＨ、＞Ｃ(ＣＨ３)ＣＨ２ＯＨ、＞Ｃ(Ｃ２Ｈ５)ＣＨ２ＯＨ、＞Ｃ(ＣＨ２ＯＨ)２、＞ＣＨ−ＣＨ(ＯＨ)−ＣＨ２ＯＨ又は＞ＣＨ−(ＣＨＯＨ)３−ＣＨ２ＯＨであり；Ｒ１はＣ１−６アルキル、具体的にはＣ１−４アルキルである）を有するものを包含する。構造Ｉの範囲内の幾つかの化合物は、ｂが０であるか又はＲ２が置換されている場合では１個以上のキラル炭素原子を含有し；構造Ｉはその中で可能性のある立体異性体を区別せず、全てのかかる立体異性体を包含することを意図する。特定の実施形態では、ａが１〜４であり、ｂが０又は１であり、Ｒ２が＞ＣＨ−ＣＨ３、＞ＣＨ−ＣＨ２ＯＨ、＞Ｃ(ＣＨ３)ＣＨ２ＯＨ、＞Ｃ(Ｃ２Ｈ５)ＣＨ２ＯＨ、＞Ｃ(ＣＨ２ＯＨ)２、＞ＣＨ−ＣＨ(ＯＨ)−ＣＨ２ＯＨ又は＞ＣＨ−(ＣＨＯＨ)３−ＣＨ２ＯＨである。
【００２４】
ｂが０である場合、アルキルケタールエステルは５員環を含み；ｂが１である場合、６員環を含む。特定の実施形態ではｂが０である。
【００２５】
幾つかの実施形態では、ｂが０であり、Ｒ２が１つのメチレン、エチリデン又は＞ＣＨ−ＣＨ２ＯＨである。別の実施形態では、ｂが１であり、Ｒ２がメチレンである。
【００２６】
一実施形態では、Ｒ１が１又は２個の炭素原子を含有する。
【００２７】
具体的なアルキルケタールエステルとしては、１,２−エチレングリコールとレブリン酸のメチル、エチル、ｎ−プロピル若しくはｎ−ブチルエステルとの反応形成物；１,２−プロピレングリコールとレブリン酸のメチル、エチル、ｎ−プロピル若しくはｎ−ブチルエステルとの反応形成物；１,３−プロパンジオールとレブリン酸のメチル、エチル、ｎ−プロピル若しくはｎ−ブチルエステルとの反応形成物；グリセリンとレブリン酸のメチル、エチル、ｎ−プロピル若しくはｎ−ブチルエステルとの反応形成物；トリメチロールエタンとレブリン酸のメチル、エチル、ｎ−プロピル若しくはｎ−ブチルエステルとの反応形成物；トリメチロールプロパンとレブリン酸のメチル、エチル、ｎ−プロピル若しくはｎ−ブチルエステルとの反応形成物；ペンタエリスリトールとレブリン酸のメチル、エチル、ｎ−プロピル若しくはｎ−ブチルエステルとの反応形成物；エリスリトールとレブリン酸のメチル、エチル、ｎ−プロピル若しくはｎ−ブチルエステルとの反応形成物；ソルビトールとレブリン酸のメチル、エチル、ｎ−プロピル若しくはｎ−ブチルエステルとの反応形成物；１,２−エチレングリコールとアセト酢酸メチル、エチル、ｎ−プロピル若しくはｎ−ブチルとの反応形成物；１,２−プロピレングリコールとアセト酢酸メチル、エチル、ｎ−プロピル若しくはｎ−ブチルとの反応形成物；１,３−プロパンジオールとアセト酢酸メチル、エチル、ｎ−プロピル若しくはｎ−ブチルとの反応形成物；グリセリンとアセト酢酸メチル、エチル、ｎ−プロピル若しくはｎ−ブチルとの反応形成物；トリメチロールエタンとアセト酢酸メチル、エチル、ｎ−プロピル若しくはｎ−ブチルとの反応形成物；トリメチロールプロパンとアセト酢酸メチル、エチル、ｎ−プロピル若しくはｎ−ブチルとの反応形成物；エリスリトールとアセト酢酸メチル、エチル、ｎ−プロピル若しくはｎ−ブチルとの反応形成物；ペンタエリスリトールとアセト酢酸メチル、エチル、ｎ−プロピル若しくはｎ−ブチルとの反応形成物；又はソルビトールとアセト酢酸メチル、エチル、ｎ−プロピル又はｎ−ブチルとの反応形成物に相当するものが挙げられる。
【００２８】
具体的なアルキルケタールエステルとしては、下記構造ＩＩ〜ＶＩを有するものが挙げられる。一実施形態は下記構造ＩＩ：
【化５】
0005980774.tif 000006
（II）
（式中、Ｒ１はメチル、エチル、ｎ−プロピル又はｎ−ブチルである）のアルキルケタールエステルを包含する。Ｒ１がメチルである場合、この構造体を本明細書中では「メチル−ＬＧＫ」と呼び、レブリン酸メチルとグリセリンとの反応形成物に相当する。メチル−ＬＧＫは、あらゆる割合で水と混和性である。
【００２９】
構造ＩＩのＲ１がエチルである場合、この構造体を本明細書中では「エチル−ＬＧＫ」又は「Ｅｔ−ＬＧＫ」と呼び、レブリン酸エチルとグリセリンとの反応生成物に相当する。エチル−ＬＧＫはあらゆる割合で水と混和性である。エチル−ＬＧＫはまた、８０部のエチル−ＬＧＫに少なくとも２０部の有機化合物という範囲まで多数の疎水性及び親水性有機化合物を溶解するか又はそれらと混和性である。かかる有機化合物の例としては、メタノール、エタノール、テトラヒドロフラン、アセトン、酢酸エチル、ラウリン酸エチル、ラウリン酸、塩化メチレン、トルエン、酢酸、低分子量ポリ(プロピレングリコール)及びヒマシ油が挙げられる。
【００３０】
構造ＩＩのＲ１がｎ−プロピルである場合、この構造体を本明細書中では「ｎ−プロピル−ＬＧＫ」と呼び、レブリン酸ｎ−プロピルとグリセリンとの反応形成物に相当する。ｎ−プロピル−ＬＧＫは、９９部の水あたり１部の範囲まで水と混和性である。
【００３１】
構造ＩＩのＲ１がｎ−ブチルである場合、この構造体を本明細書中では「ｎ−ブチル−ＬＧＫ」又は「Ｂｕ−ＬＧＫ」と呼び、レブリン酸ｎ−ブチルとグリセリンとの反応形成物を表す。ｎ−ブチル−ＬＧＫは、９９部の水あたり１部の範囲まで水と混和性である。これは、８０部のｎ−ブチル−ＬＧＫに少なくとも２０部の有機化合物という範囲まで様々な有機化合物を溶解するか又はそれらと混和性である。かかる有機化合物の例としては、アルコール類（エタノール及び１,２−ブチレングリコールを含む）、有機エステル類（例えばＣ１２−１４アルキルベンゾエート、ミリスチン酸イソプロピル及びパルミチン酸オクチル）並びに多数の植物油（ヒマシ油、コーン油、大豆油及びヒマワリ油を含む）が挙げられる。
【００３２】
別の実施形態は、下記構造ＩＩＩ：
【化６】
0005980774.tif 000007
（III）
（式中、Ｒ１はメチル、エチル、ｎ−プロピル又はｎ−ブチルである）のアルキルケタールエステルを含む。Ｒ１がメチルである場合、この構造体を本明細書中では「メチル−ＬＰＫ」と呼び、レブリン酸メチルと１,２−プロピレングリコールとの反応形成物に相当する。
【００３３】
構造ＩＩＩのＲ１がエチルである場合、この構造体を本明細書中では「エチル−ＬＰＫ」又は「Ｅｔ−ＬＰＫ」と呼び、レブリン酸エチルと１,２−プロピレングリコールとの反応形成物に相当する。エチル−ＬＰＫは、９７．５部の水に２．５部という範囲まで水と混和性である。エチル−ＬＰＫは、８０部のエチル−ＬＰＫに少なくとも２０部の有機化合物という範囲まで様々な親水性の多様な有機化合物を溶解するか又はそれらと混和性である。これらの有機化合物としては、例えば、メタノール、エタノール、テトラヒドロフラン、アセトン、酢酸エチル、塩化メチレン、トルエン、シクロヘキサン、酢酸、低分子量ポリ(プロピレングリコール)、鉱油、ヒマシ油、菜種油、コーン油及びヒマワリ油が挙げられる。
【００３４】
構造ＩＩＩのＲ１がｎ−ブチルである場合、この構造体を本明細書中では「ｎ−ブチル−ＬＰＫ」又は「Ｂｕ−ＬＰＫ」と呼び、レブリン酸ｎ−ブチルと１,２−エチレングリコールとの反応形成物を表す。ｎ−ブチル−ＬＰＫは、８０部のｎ−ブチル−ＬＰＫに少なくとも２０部の有機化合物という範囲まで様々な有機化合物を溶解するか又はそれらと混和性である。かかる有機化合物の例としては、アルコール類（エタノール及び１,２−ブチレングリコールを含む）、有機エステル類（例えばＣ１２−１４アルキルベンゾエート、ミリスチン酸イソプロピル及びパルミチン酸オクチル）並びに多数の植物油（ヒマシ油、コーン油、大豆油及びヒマワリ油を含む）が挙げられる。
【００３５】
別の実施形態は、下記構造ＩＶ：
【化７】
0005980774.tif 000008
（IV）
（式中、Ｒ１はメチル、エチル、ｎ−プロピル又はｎ−ブチルである）のアルキルケタールエステルを含む。Ｒ１がエチルである場合、この構造体を本明細書中では「エチル−ＬＥＫ」と呼び、レブリン酸エチルと１,２−エチレングリコールとの反応形成物に相当する。エチル−ＬＥＫは、９５部の水当たり５部の範囲まで水と混和性である。
【００３６】
別の実施形態は、下記構造Ｖ：
【化８】
0005980774.tif 000009
（V）
（式中、Ｒ１はメチル、エチル、ｎ−プロピル又はｎ−ブチルである）のアルキルケタールエステルを含む。Ｒ１がメチルである場合、この構造体を本明細書中では「Ｍｅ−ＡｃＡｃＧＫ」と呼び、酢酸メチルとグリセリンとの反応形成物を表す。Ｒ１がエチルである場合、この構造体を本明細書中では「Ｅｔ−ＡｃＡｃＧＫ」と呼び、酢酸エチルとグリセリンとの反応形成物を表す。Ｍｅ−ＡｃＡｃＧＫ及びＥｔ−ＡｃＡｃＧＫはそれぞれ、あらゆる割合で水と混和性である。
【００３７】
別の実施形態は、下記構造ＶＩ：
【化９】
0005980774.tif 000010
（VI）
（式中、Ｒ１はメチル、エチル、ｎ−プロピル又はｎ−ブチルであり、Ｒ３はメチル又はエチルである）のアルキルケタールエステルを含む。構造ＶＩの化合物は、トリメチロールエタン（Ｒ３がメチルである）又はトリメチロールプロパン（Ｒ３がエチルである）とレブリン酸のＣ１−４エステルとの反応形成物に相当する。Ｒ１がエチルで、Ｒ３がメチルである場合、この構造体を本明細書中では「エチル−ＭｅＬＴＭＥＫ」と呼び、Ｒ１がエチルで、Ｒ３がエチルである場合、この構造体を本明細書中では「エチル−ＥｔＬＴＭＥＫ」と呼ぶ。
【００３８】
構造Ｉ〜ＶＩのアルキルケタールエステルは、下記構造ＶＩＩ：
【化１０】
0005980774.tif 000011
（VII）
のアルキルケタールエステルを下記構造ＶＩＩＩ：
【化１１】
0005980774.tif 000012
（VIII）
（式中、ａ、ｂ、Ｒ２及びＲ１は構造Ｉで定義した通りである）の適当なポリオールと反応させることによって調製することができる。具体的なケトエステルとしては、ピルビン酸、アセト酢酸、レブリン酸、α−ケト酪酸、α−ケトイソ吉草酸、５−ケトヘキサン酸、α−ケトイソカプロン酸、４−アセチル酪酸、２−ケトペンタン酸、３−ケトヘキサン酸、４−ケトヘキサン酸、２−ケトオクタン酸、３−ケトオクタン酸４−ケトオクタン酸、７−ケトオクタン酸、２−ケト−４−ペンタン酸及び２−オキソ−３−ブチノエートのＣ１−Ｃ４アルキルエステルが挙げられる。具体的なポリオールとしては、エチレングリコール、１,２−プロピレングリコール、１,３−プロパンジオール、グリセリン、トリメチロールエタン、トリメチロールプロパン、エリスリトール、ペンタエリスリトール又はソルビトールが挙げられる。この反応は、酸触媒の存在下で行うことができる。好ましいプロセスが国際公開第０９/０３２９０５号公報に記載されている。
【００３９】
好ましい実施形態では、ケトエステルがレブリン酸（４−オキソペンタン酸）のＣ１−Ｃ４アルキルエステルである。レブリン酸は、ヘキソース及びセルロース、デンプン、スクロースなどのようなヘキソース含有多糖の酸性分解により工業規模で調製される豊富な供給原料である。他の好ましいケトエステルとしては、ピルビン酸及びアセト酢酸のＣ１−Ｃ４アルキルエステルが挙げられる。特に好ましいケトエステルとしては、レブリン酸エチル、レブリン酸ｎ−プロピル及びレブリン酸ｎ−ブチルが挙げられる。
【００４０】
「混和性の」という用語及びその変型（「混和性」及び「相溶性」など）を、本明細書では「可溶(の)」の同義語として用いる、すなわち、材料の混合物がそれ自体で、１つの材料が他のものの中に分子的に分散するか又は１つの材料が２００ｎｍ未満の最長寸法を有する液滴として分散する「本当の」溶液を形成し、該混合物が光学的に透明である。例示的な実施形態では、最長寸法が「回転半径」である。本明細書で用いるように、更なる条件無しに別のものに「混和性」である又は「完全に混和性」である材料は、他の材料とあらゆる割合で、すなわち、単独でそれら２つの成分を９９：１〜１：９９のあらゆる重量比で含有する混合物において、混和性である。例えば、完全に水混和性のアルキルケタールエステルは、９９：１〜１：９９のあらゆる割合で水に可溶である。部分的に混和性のアルキルケタールエステルは、７０部以下の他の材料中３０部を超えるアルキルケタールエステルという割合で他の材料に不混和性であり、他の組み合わせで混和性である。わずかに混和性のアルキルケタールエステルは、９９部以下の他の材料中１０部を超えるアルキルケタールエステルという割合で他の材料に不混和性であり、他の組み合わせで混和性である。それ自体が９９部の他のものにつき少なくとも１部という範囲まで別の材料に可溶でない場合は、その材料は他のものに「不混和性」である。特に明記しない限り、混和性は２５℃で評価する。上述のアルキルケタールエステルを、完全に水混和性、部分的に水混和性、又はわずかに水混和性として分類することができる。
【００４１】
「巨視的に均一」により、少なくとも１０マイクロメートルの長さスケールで見た場合に製剤が均一であることを意味する。
【００４２】
特定のフレグランス製剤に対する特定のアルキルケタールエステルの選択は、少なくともある程度は、アルキルケタールエステルが製剤中で果たす機能や製剤の他の成分に左右されるであろう。例えば、アルキルケタールエステルが水性相に活性薬剤のような成分を可溶化するために存在する場合、部分的に又は完全に水混和性のアルキルケタールエステルを選択する。活性薬剤が非常に疎水性である場合、部分的に又は完全に水混和性のアルキルケタールエステルとわずかに水混和性のアルキルケタールエステルとの混合物を用いることができる。
【００４３】
芳香構成物をアルコール性相又はアルコール/水混合物に可溶化するためにアルキルケタールエステルが存在する場合、アルキルケタールエステルは、７０部のアルコールに少なくとも３０部という範囲までアルコールに混和性であるのが好ましく、アルコールに完全に混和性とすることができる。アルコールに完全に又は部分的に可溶なアルキルケタールエステルは、アルコールにほんのわずかに可溶である１種以上のアルキルケタールエステルとの混合物で存在することができる。これは、例えば、アルコール/混和性アルキルケタールエステル混合物が、わずかに可溶なアルキルケタールエステルを溶解する共溶媒混合物として機能することを可能にできる。同じく、わずかに可溶なアルキルケタールエステルは、更に別の材料を溶液中に持ち込むことができる。かかるアルコール性相又はアルコール/水混合物中のアルコールは、エタノール、１−プロパノール、２−プロパノール、１−ブタノール、２−ブタノール、ｔ−ブタノール、１−ペンタノール、１−ヘキサノール並びにペンタノール及びヘキサノールの様々な他の異性体のようなＣ１−７アルカノール；エチレングリコール、ジエチレングリコール、トリエチレングリコール、１,２−プロピレングリコール、１,３−プロパンジール、ジプロピレングリコール、トリプロピレングリコール、１,４−ブタンジオール及び１,２−ブタンジオールのようなアルキレングリコール；グリセリンのようなトリオール；などを含む低級アルコールであり、エタノール、イソプロパノール、１,２−プロピレングリコール又は１,３−プロパンジオールが好ましい。    
【００４４】
アルキルケタールエステルが芳香構成物を油相に溶解するために存在する場合、アルキルケタールエステルは、部分的に水混和性の種類又はわずかに水混和性の種類とすることができる。また場合によっては、その事例で、完全に水混和性の種類を用いることも可能である。
【００４５】
フレグランス製剤が、水溶液（例えば、芳香製剤の重量に対し少なくとも３５重量％の水を含有する）を含むか又は芳香製剤を溶解する水性ゲルを含む場合、アルキルケタールエステルは、メチル−ＬＧＫ、エチル−ＬＧＫ、メチル−ＡｃＡｃＧＫのような完全に水混和性の種類であるか、又はそれらのうちの１種以上と部分的に水混和性のアルキルケタールエステル及び/若しくはプロピル−ＬＧＫ、エチル−ＬＰＫ、エチル−ＬＥＫなどのようなわずかに可溶なアルキルケタールエステルとの混合物であるのが好ましい。
【００４６】
アルコール溶液又はアルコール−水溶液（水分含量が芳香製剤の３５％未満であり、また水と、芳香構成物を溶解するアルコールとの合計重量の２０％未満、１０％未満又は５％未満とすることができる）の形態をとるフレグランス製剤は、例えばエタノール、イソプロパノール及び１,２−プロピレングリコールの場合、完全に水混和性のアルキルケタールエステル、部分的に水混和性のアルキルケタールエステル、わずかに水混和性のアルキルケタールエステル又はそれらの混合物を含有することができる。部分的に及び完全に水混和性のアルキルケタールエステルはエタノール、イソプロパノール、１,２−プロピレングリコールと単一相溶液を形成することができ、これに追加の材料を溶解するか、又は有機相を分散させることができる。ゲルを懸濁したゲル含有アルコール溶液又はアルコール−水溶液は、上述したようにアルコール溶液及びアルコール−水溶液に用いるアルコールに応じて、完全に水混和性のアルキルケタールエステル、部分的に水混和性のアルキルケタールエステル、わずかに水混和性のアルキルケタールエステル又はそれらの混合物を同様に含有し得る。
【００４７】
油相と水性相とのエマルションの形態で、アルキルケタールエステルがその相間で相溶化又は乳化する機能を果たす芳香製剤（例えば、ローション及びクリームを含む）は、メチル−ＬＧＫ、エチル−ＬＧＫ、メチル−ＡｃＡｃＧＫのような完全に水混和性のアルキルケタールエステル、若しくは部分的に水混和性の種類のもの又はそれらの１種以上とプロピル−ＬＧＫ、エチル−ＬＰＫ、エチル−ＬＥＫなどのようなわずかに可溶なアルキルケタールエステルとの混合物を含有し得る。
【００４８】
アルキルケタールエステルが油相中に存在する（例えば成分を油相に溶解又は相溶化する）芳香製剤は、部分的に若しくは完全に水混和性のアルキルケタールエステル、プロピル−ＬＧＫ、エチル−ＬＰＫ、エチル−ＬＥＫなどのようなわずかに可溶なアルキルケタールエステル、又は１種以上のわずかに可溶なアルキルケタールエステルと部分的に若しくは完全に水混和性のアルキルケタールエステルとの混合物を含有し得る。
【００４９】
水又は他の極性化合物を製剤に相溶化することがアルキルケタールエステルに求められるロウソク、研磨剤、リップバーム又は他の疎水性製剤のようなワックス状芳香製剤は、通常メチル−ＬＧＫ、エチル−ＬＧＫ、メチル−ＡｃＡｃＧＫのような完全に水混和性のアルキルケタールエステル、又は部分的に水混和性の種類のものを含むが、わずかに混和性の種類のものも含み得る。
【００５０】
数多くの芳香製剤は、２種以上の芳香構成物の組み合わせである。例えば、幾つかの芳香製剤は、溶解した芳香構成物を含有する水性相を含み、更に、例えば、エモリエント及び/若しくは湿潤剤を供給するか又は特定の製剤形状（クリーム、ローションなど）を形成するために存在し得る油相を含む。このような場合では、芳香製剤内に２種以上のアルキルケタールエステルを含めて異なる機能を果たすことが可能である。よって、例えば、完全に水混和性のアルキルケタールエステルが水性相に存在して芳香構成物を溶解させるのを助けることができ、また部分的に若しくはわずかに水混和性のアルキルケタールエステルが油相に存在してその粘度を低減するか又はその成分を相溶化することができる。また、これらアルキルケタールエステルのいずれかは、水相と油相との間又は各相内の材料間である程度の乳化又は相溶化機能を果たすことができる。
【００５１】
さらに、単一のアルキルケタールエステル又は複数のアルキルケタールエステルのブレンドは、芳香製剤内で活性薬剤を水性相又は油相に溶解すること、水性相と油相とを相溶化若しくは乳化することなどのような複数の機能を果たすことができる。これら製剤に利用できる活性薬剤の例は、当業者に既知であり、また同時係属米国特許出願第１３/１０４,５７０号にも開示され、ここにあらゆる目的でその全体を参照して援用する。加えて、単一のアルキルケタールエステルは、例えば活性薬剤を水性相又は油相に溶解すること、水性相と油相とを相溶化若しくは乳化すること、芳香構成物を芳香製剤に用いた他の溶媒と相溶化することなどのような複数の機能を芳香製剤内で果たすことができる。
【００５２】
アルキルケタールエステルは、特定の芳香製剤及び特定のアルキルケタールエステルに応じて、芳香製剤の水性相中、アルコール性相若しくはアルコール−水相中、ワックス相中、又は油相中に存在し得る。多くの場合、アルキルケタールエステルは、芳香製剤の水性相と油相との間で、その両相における溶解度のために分配されることがある。幾つかの事例では、アルキルケタールエステルが水性相と油相との境界に存在し得る。
【００５３】
芳香製剤中に存在するアルキルケタールエステルの量は、アルキルケタールエステルの機能、芳香製剤の他の成分、芳香製剤の具体的形態などの条件に依存する。
【００５４】
一般に、芳香製剤は、該芳香製剤の総重量に対し約１０〜約８０重量％、具体的には約１５〜約７０重量％、より具体的には約２０〜約６０重量％のアルキルケタールエステルを含む。
【００５５】
上述したように、芳香製剤を例えば、溶媒、界面活性剤などのような付加的な成分で更に希釈して、芳香製剤を形成してもよい。芳香製剤は、該芳香製剤の総重量に対し約０．００１〜約１０重量％、具体的には約０．１〜約５重量％、より具体的には約１〜約４重量％の量で芳香構成物を含むことができる。
【００５６】
可溶化に加えて、アルキルケタールエステルは有効なカップリング溶媒であり得る。カップリング溶媒は、カップリング溶媒の不在下で全体的に又は部分的に不混和性の２成分、例えば、油及び水の混合物を可溶化するのに役立つ。有効なカップリング溶媒は、一般に親油性と親水性両方の性質を有する。芳香製剤中でカップリングが所望され得る様々な理由が存在する。数多くの芳香成分、例えば、アルデヒド、エステルなどは、ある程度の極性を有し、非極性基材（例えば、ロウソク）から分離することがある。相分離は、製品の底に沈殿する不溶性の液滴又は粒子のような美的問題をもたらし得る。芳香構成物が固体から気体へそして固体へ昇華する際に別の極性の問題が生じる；これら分子が製剤の基剤から分離すると、昇華し、次いで再濃縮し、容器上に被膜を形成し得る。幾つかの製品形状では、光学的に透明な芳香製剤が所望され、芳香構成物を加えた後カップリング溶媒が製品製剤中で透明性を維持するのに役立つことができる。
【００５７】
上述したように、アルキルケタールエステルはまた、多くの芳香部分と比べて高沸点のため、有用な定着剤として役立つことができる。定着剤を用いて、主要な香りを増強することによりこれを持続させる。芳香構成物は、別々の主要な香り又は嗅覚特性を有するトップノート、ミドルノート及びベースノートを一般に備える。これらのノートを製剤の蒸発プロセスの知識を用いて注意深く創出する。トップノートは、フレグランスの適用の際ただちに知覚される香りである。トップノートは、素早く蒸発する小型の軽い分子からなる。これらは、人の最初の芳香製剤の印象を形成し、従って製品の販売において非常に重要である。これらはヘッドノートとも呼ばれる。ミドルノートは、トップノートが消散する直前に現れる香り又はフレグランスの嗅覚を表す。ミドルノート化合物は、フレグランス製剤の「ハート」又は本体を形成し、時間の経過につれてより心地良くなるベースノートの大抵は不愉快な最初の印象をマスクすることに役立つ。ミドルノートはハートノートとも呼ばれる。ベースノートは、ミドルノートの発展と近接して現れるフレグランスの香りを表す。ベースノートとミドルノートは合わさってフレグランス製剤のメインテーマとなる。ベースノートはフレグランスに深みをもたらす。この部類のフレグランスの化合物は、典型的にリッチで、「奥深く」、通常は施用後約３０分まで知覚されない。トップノート及びミドルノートのフレグランスはベースノートに影響され、更にベースノートのフレグランスはミドルノートとして用いるフレグランス物質の種類により変わるであろう。
【００５８】
一実施形態では、アルキルケタールエステルを特定ノート用の定着剤としてフレグランス製剤に用いることができる。次いで、他の定着剤を用いて他のノートをフレグランス製剤に定着させることができる。また、アルキルケタールエステルを他の定着剤と併用して、特定のノートをフレグランス製剤に定着させることができる。
【００５９】
別の実施形態では、１種以上のアルキルケタールエステルを１種以上のノート用の定着剤としてフレグランス製剤に用いることができる。アルキルケタールエステルをトップノート、ミドルノート及びベースノート用の定着剤として用いることができる。例えば、１モルあたり約１３０〜約３００グラムの分子量を有するアルキルケタールエステルをトップノート用の定着剤として用いることができる一方、１モルあたり約３００〜約４００グラムの分子量を有するアルキルケタールエステルをミドルノート用の定着剤として用いることができ、他方１モルあたり約４５０〜約１,０００グラムの分子量を有するアルキルケタールエステルをベースノート用の定着剤として用いることができる。
【００６０】
芳香構成物は、風味料とすることもでき、食糧、飲料又はヘルスケア製品を風味付けするのに用いて様々な感覚を生成し得る。その感覚は、甘み、酸味、スパイシーさ、辛み、苦味などとすることができ、ハードキャンディ、チューインガム、マヨネーズ、サワークリーム、玉ねぎ及び他の野菜ディップ、ポテトチップスナック、アルコール性飲料、洗口剤、歯磨きなどのような物品に用いてもよい。風味料及び/又はフレグランスとして役立ち得る精油並びに芳香分子の詳細なリストを以下に列挙する。風味料の幾つかはフレグランスでもあることに留意すべきである。同様に、フレグランス製剤は、匂い目的の芳香構成物だけでなく風味付け目的の芳香構成物も含み得る。
【００６１】
アルキルケタールエステルを用いて、フレグランス製剤にしばしば用いる水のような溶媒の表面張力を低下させることができる。水の表面張力は、一般的な液体の中でも非常に高く、水分子の極性の性質から生じる。固体の表面をぬらすための液体について、その液体の表面張力はその固体の表面張力よりも低くなければならない。だから、水はその低コスト及び低引火性のために一般に好ましい担体である一方、数多くの用途において水が広がって表面を濡らすことができるように水の表面張力を低下させなければならない。アルキルケタールエステルは、他の溶媒に関連する環境上の揮発性有機化合物（ＶＯＣ）問題を伴わずに水溶液の表面張力を効果的に低減する能力を特に実証している。
【００６２】
アルキルケタールエステルは、その低い揮発性のため更に有利である。揮発性は、沸点、蒸気圧、相対蒸発速度、引火性、匂い及び揮発性有機化合物含量などの溶媒の幾つかの基本性質で現れる。溶媒の所望の揮発性プロフィールは、用途により相当変わり、大抵は矛盾する配慮が存在する。例えば、著しく揮発性の処理溶媒は使用後に除去するのに低いエネルギーを必要とするが、多くの場合高い引火性のために特別な取り扱いも必要とする。式（Ｉ）〜（ＶＩＩＩ）中の特定のＲ１、Ｒ２、ａ及びｂそれぞれの適切な選択は、選ばれた揮発性及び可溶化能力を更に提供できる。このように、アルキルケタールエステルは、これら用途での使用に対し、可溶化活性、カップリング活性、低引火性、迅速な生分解、非腐食性及び低臭気を含む優れた特性の組み合わせを有する。
【００６３】
芳香構成物は、少なくとも１種の芳香化合物（ここで芳香分子とも称する）を含む。芳香分子をアロマ化合物とも呼ぶ。芳香分子は、天然に存在する分子又は合成分子（例えば、天然に存在しない成分から実験室で合成された分子）とすることができる。天然に存在する分子は、生物（例えば、動物、植物、果物、花など）から直接又は間接的に得られるものである。天然に存在する分子は、天然に存在する分子と合成分子との生成物を包含する。芳香分子は、食糧、ワイン、香辛料、パフューム、フレグランスオイル及び精油中で見出すことができる。例えば、数多くが果物及び他の穀物の成熟中に生化学的に生成する。ワインでは、大部分が発酵の副産物として生成する。
【００６４】
天然に存在する芳香分子は、植物から得た「エッセンシャル」オイルを含む。精油は、植物由来の揮発性芳香分子を含有する濃縮された疎水性の液体である。精油はまた、揮発性のエーテル性油若しくはアセロラ(ａｅｔｈｅｒｏｌｅａ)として、又は例えばクローブの油のような、単に植物から抽出した植物の「油」として既知である。油は、植物の特有の香り、すなわちエッセンスを運ぶという意味で「エッセンシャル」である。精油は、特徴的なフレグランスを運ぶことを超えて、いかなる共通の特異的な化学的特性も持たない。ラベンダー、ペパーミント及びユーカリのような幾つかの精油を水蒸気蒸留する。花、葉、木、樹皮、根、種又は果皮を含む生の植物材料を水上の蒸留装置内に置く。水を加熱すると、蒸気が植物材料を通り抜けて、揮発性化合物を気化する。蒸気は、蛇管を通り、ここで凝縮して液体に戻り、次いで受け容器に集められる。
【００６５】
精油は、液果、オールスパイス、ジュニパー、種子、アーモンド、アニス、セロリ、クミン、ナツメグ油、樹皮、カッシア、シナモン、サッサフラス、木質、樟脳、ヒマラヤスギ、シタン、ビャクダン、沈香、根茎、ガランガル、ショウガ、葉、バジル、ベイリーフ、シナモン、コモンセージ、ユーカリ、レモングラス、メラレウカ、オレガノ、パチュリ、ペパーミント、松、ローズマリー、スペアミント、ティーツリー、タイム、ウィンターグリーン、樹脂、乳香、ミルラ、花、アサ、カモミール、クラリセージ、クローブ、センティッドゼラニウム、ホップ、ヒソップ、ジャスミン、ラベンダー、マヌカ、マジョラム、バラ、ローズマリー、バジル、レモングラス、イランイランノキ、果皮、ベルガモット、グレープフルーツ、レモン、ライム、オレンジ、タンジェリン、根、バレリアン、マンゴーなど又は前述の少なくとも１種を含む組み合わせから得られる。
【００６６】
芳香分子の例は、アルコール類（例えば、フラネオール（ストロベリー）、１−ヘキサノール（ハーブのもの、樹木のもの）、シス−３−ヘキサン−１−オール（切り立ての草）、メントール（ペパーミント）など、若しくは前述のアルコールの少なくとも１種を含む組み合わせ）；アルデヒド類（例えば、アセトアルデヒド（ピリッとする）、ヘキサナール（青々とした、草のような）、シス−３−ヘキセナール（未熟なトマト）、フルフラール（焼けた燕麦）など、若しくは前述のアルデヒドの少なくとも１種を含む組み合わせ）；エステル類（例えば、フラクトン（フルーティ、リンゴ様）、酢酸ヘキシル（リンゴ、フローラル、フルーティ）、メチルフェニルグリシッド酸エチル（ストロベリー）、ギ酸メチル、酢酸メチル、酪酸メチル、ブタン酸メチル、酢酸エチル、酪酸エチル、ブタン酸エチル、酢酸イソアミル、酪酸ペンチル、ブタン酸ペンチル、ペンタン酸ペンチル、ベンゾイン（スティラックス・ベンゾインの木の樹脂から抽出））；黒コショウ（コショウ科の植物コショウ由来）、カヤプト油（コバノブラシノキ属カユプティ由来）、キャラウェイ、キャロットシード、コリアンダー、サイプラス、ディル、フェンネル、ムギワラギク属、ラバンジン、レモンバーベナ、蜜蝋（メリッサ・オフィキナリスから抽出したレモンバーム精油）、ニアウリ、パルマローザ、プチグレン、マンジュギク、ベチバーなど、若しくは前述のエステルの少なくとも１種を含む組み合わせ）；ケトン類（例えば、ジヒドロジャスモン（フルーティウッディフローラル）、オクト−１−エン−３−オン（血液、金属、キノコ様）、２−アセチル−１−ピロリン（新鮮なパン、ジャスミン米）、６−アセチル−２,３,４,５−テトラヒドロピリジン（新鮮なパン、トルティーヤ、ポップコーン）など、若しくは前述のケトンの少なくとも１種を含む組み合わせ）；ラクトン類（γ−デカラクトン（強烈なモモの芳香）、γ−ノナラクトン（日焼け用ローションで人気のココナッツの匂い）、δ−オクタラクトン（クリーミーなノート）、ジャスミンラクトン（力強く脂肪質のフルーティなモモ及びアンズ）、マソイアラクトン（強力でクリーミーなココナッツ）、ワインラクトン（甘いココナッツの匂い）、ソトロン（メープルシロップ、カレー、フェヌグリーク）など、若しくは前述のラクトンの少なくとも１種を含む組み合わせ）；チオール類（エタンチオール（通常エチルメルカプタンと呼ぶ）、グレープフルーツメルカプタン（グレープフルーツ）、メタンチオール（通常メチルメルカプタンと呼ぶ）、２−メチル−２−プロパンチオール（通常ターシャリー−ブチルメルカプタンと呼ぶ）；線状テルペン類（例えば、ミルセン（ウッディ、複雑）、ゲラニオール（バラ、華やか）、ネロール（甘いバラ、華やか）、シトラール、レモナール、ゲラニアール、ネラール（レモン、レモンマートル、レモングラス）、シトロネラール（レモン、レモングラス）、シトロネロール（レモン、レモングラス、バラ、ペラルゴニウム）、リナロール（フローラル、スイート、ウッディ、ラベンダー）、ネロリドール（ウッディ、新鮮な樹皮）など、若しくは前述の線状テルペンの少なくとも１種を含む組み合わせ）；環状テルペン類（例えば、リモネン、樟脳、テルピンコール、イオノン、チュージュオンなど、若しくは前述の環状テルペンの少なくとも１種を含む組み合わせ）；芳香族種（例えば、ベンズアルデヒド、オイゲノール、桂皮アルデヒド、エチルマルトール、バニリン、アニソール、アネトール、エストラゴール、チモールなど、若しくは前述の芳香族種の少なくとも１種を含む組み合わせ）；アミン類（例えば、チエチルアミン、トリメチルアミン、カダベリン、ピリジン、インドール、スカトールなど、若しくは前述のアミンの少なくとも１種を含む組み合わせ）；など、又は前述の芳香分子の少なくとも１種を含む組み合わせである。
【００６７】
芳香分子の更なる例は、ゲラニオール、酢酸ゲラニル、リナロール、酢酸リナリル、テトラヒドロリナロオール、シトロネロール、酢酸シトロネリル、ジヒドロミルセノール、酢酸ジヒドロミルセニル、テトラヒドロミルセノール、テルピネオール、酢酸テルピニル、ノポール、酢酸ノピル、２−フェニルエタノール、酢酸２−フェニルエチル、ベンジルアルコール、酢酸ベンジル、サリチル酸ベンジル、安息香酸ベンジル、酢酸スチラリル、サリチル酸アミル、ジメチルベンジルカルビノール、酢酸トリクロロメチルフェニルカルビニル、酢酸ｐ−ｔｅｒｔ−ブチル−シクロヘキシル、酢酸イソノニル、酢酸ベチベリル、ベチベロール、α−ｎ−アミル桂皮アルデヒド、α−ヘキシル桂皮アルデヒド、２−メチル−３−(ｐ−ｔｅｒｔ−ブチルフェニル)−プロパノール、２−メチル−３−(ｐ−イソプロピルフェニル)−プロパナール、３−(ｐ−ｔｅｒｔ−ブチルフェニル)−プロパナール、酢酸トリシクロデセニル、プロピオン酸トリシクロデセニル、４−(４−ヒドロキシ−４−メチルペンチル)−３−シクロヘキセンカルバルデヒド、４−(４−メチル−３−ペンテニル)−３−シクロヘキセンカルバルデヒド、４−アセトキシ−３−ペンチルテトラヒドロピラン、メチル−ジヒドロジャスモネート、２−ｎ−ヘプチルシクロペンタノン、３−メチル−２−ペンチルシクロペンタノン、ｎ−デカナール、９−デセノール−１、イソ酪酸フェノキシエチル、フェニルアセトアルデヒドジメチルアセタール、フェニルアセトアルデヒドジエチルアセタール、ゲラノニトリル、シトロネロニトリル、酢酸セドリル、３−イソカンフィルシクロヘキサノール、セドリルメチルエーテル、イソロンギホラノン、オーベピンニトリル、オーベピン、ヘリオトロピン、クマリン、オイゲノール、バニリン、ジフェニルオキシド、ヒドロキシシトロネラール、イオノン、メチルイオノン、イソメチルイオニオン、イロン、シス−３−ヘキセノール及びそのエステル、インダンムスク、テトラリンムスク、イソクロマンムスク、大環状ケトン、大環状ラクトンムスク、エチレンブラシレート、芳香族ニトロムスクである。
【００６８】
典型的な芳香分子としては、ベルガモット油、コリアンダ−油、ジメチルヘプタノール、酢酸ジメチルベンジルカルビニル、酢酸ゲラニル、酢酸シトロネリル、バラ合成物質、ゼラニウムバーボン、ヘディオン、イソオイゲノール、メチルオイゲノールスチラリルアセテート、ステモン、左旋性ローズオキシド、ウンデシルアルデヒドＣ−１１、２,６−ジメチル−２−アルコキシオクタン−７−オールの誘導体、ベチバー油、ベチベロール、酢酸ベチベリル、グアヤックウッド油、アントラニル酸のエステル、サリチル酸ベンジル、安息香酸ベンジル、オークモス、オイゲノール、酢酸ｐ−ｔｅｒｔ−ブチルシクロヘキシル及びクマリンが挙げられる。
【００６９】
一実施形態では、アルキルケタールエステルに加えて、付加的な溶媒を芳香製剤に用いることができる。水、炭酸プロピレン、炭酸エチレン、ブチロラクトン、アセトニトリル、ベンゾニトリル、ニトロメタン、ニトロベンゼン、スルホラン、ジメチルホルムアミド、Ｎ−メチルピロリドン、グリコールエーテル、酢酸メチル、酢酸エチル、メタノール、アセトニトリル、ニトロメタン、エタノール、プロパノール、イソプロパノール、ブタノール、ベンジルアルコール、ブトキシジグリコール、１,２−プロパンジオール（プロピレングリコール）、１,３−プロパンジオール、エトキシジグリコール、ヘキシレングリコール、ジプロピレングリコール、トリエチレングリコール、ヘキシレングリコール、ジエチレングリコール、エチレングリコール、プロピレングリコール、１２−ブチレングイコールなどのような極性溶媒、又は前述の溶媒の少なくとも１種を含む組み合わせが一般に望ましい。ベンゼン、トルエン、塩化メチレン、四塩化炭素、ヘキサン、ジエチルエーテル、ヘキサン、テトロヒドロフランなどのような非極性溶媒又は前述の非極性溶媒の少なくとも１種を含む組み合わせも用いることができる。また、少なくとも１種の極性溶媒と少なくとも１種の非極性溶媒とを含む共溶媒を利用して、溶媒の相溶化能力を改質し、これによって芳香製剤の清澄度特性及びヘイズ特性を調整することができる。典型的な溶媒は、酢酸メチル、酢酸エチル、グリコールエーテル及び水である。必要に応じて、グリコールエーテル及びアルコールを用いて、アルキルケタールエステルを水と相溶化することができる。典型的な溶媒は、水及びエチルアルコールである。
【００７０】
一実施形態では、芳香製剤が任意にラジカル捕捉剤又はラジカル捕捉剤供給源を含むことができる。本明細書で用いるラジカル捕捉剤という用語は、カーボネートラジカルと反応して、カーボネートラジカルを一連の高速反応により反応性の低い種に転化することができる種、すなわち、カーボネートラジカル捕捉剤を指す。
【００７１】
ラジカル捕捉剤は、アルカノールアミン、アミノ糖、アミノ酸エステル及びそれらの混合物の種類から選択することができる。例えば、次の化合物をラジカル捕捉剤として用いることができる：エチルアミン、モノエタノールアミン、２−メトキシエチルアミン、３−アミノ−１−プロパノール、４−アミノ−１−ブタノール、５−アミノ−１−ペンタノール、１−アミノ−２−プロパノール、１−アミノ−２−ブタノール、１−アミノ−２−ペンタノール、１−アミノ−３−ペンタノール、１−アミノ−４−ペンタノール、３−アミノ−２−メチルプロパン−１−オール、１−アミノ−２−メチルプロパン−２−オール、３−アミノプロパン−１,２−ジオール、グルコサミン、Ｎ−アセチルグルコサミン、グリシン、アルギニン、リジン、プロリン、グルタミン、ヒスチジン、サルコシン、セリン、グルタミン酸、トリプトファン、モルホリン、ピペリジンなど、又は前述のラジカル捕捉剤の少なくとも１種を含む組み合わせ。
【００７２】
芳香製剤は任意にポリマーを含むことができる。一般に、ポリマーは、アルキルケタールエステル及び/又はアルキルケタールエステルと共に用いる共溶媒に可溶であるのが望ましい。一実施形態では、ポリマーが水溶性である。別の実施形態では、ポリマーが水溶性でなく芳香製剤中で分散物として存在する。
【００７３】
ポリマーは、有機ポリマーであるのが望ましい。ポリマーは、熱可塑性ポリマー、熱硬化性ポリマー、又は熱硬化性ポリマーと熱可塑性ポリマーとの組み合わせとすることができる。一実施形態では、ポリマーをオリゴマー、ホモポリマー又はコポリマーとし得る。コポリマーは、ブロックコポリマー、星型ブロックコポリマー、ランダムコポリマー、交互ブロックコポリマー、デンドリマー、イオン性ブロックコポリマー、高分子電解質など、又は前述のポリマーの少なくとも１種を含む組み合わせとすることができる。
【００７４】
水溶性のポリマーの例は、ポリビニルアルコール、ポリアクリルアミド、ポリビニルピロリドン、ポリアミド、ヒドロキシエチルセルロース及びヒドロキシプロピルセルロースのようなヒドロキシアルキルセルロース、ポリアクリル酸など、又は前述の水溶性ポリマーの少なくとも１種を含む組み合わせである。
【００７５】
非水溶性のポリマーの例は、ポリメチルメタクリレート、ポリアクリレート、ポリエステル、ポリイミド、ポリエーテル、ポリオレフィン、ポリエーテルケトン、ポリエーテルエーテルケトン、ポリエーテルケトンケトン、ポリカーボネート、ポリアリーレンエーテル、エポキシ、ポリスルホン、ポリエーテルスルホン、ポリエーテルイミド、ポリノルボルニレン、ポリシロキサン、ポリビニルクロリド、フルオロポリマー、液晶性ポリマー、イオノマーなど、又は前述の非水溶性ポリマーの少なくとも１種を含む組み合わせである。
【００７６】
ポリマーを、レオロジー調整剤、分散剤、安定剤、促進剤又は抗微生物薬などとして；織物（加工、仕上げ、印刷及び染色の助剤、保護的な洗える表面コーティング、不織布の飽和による合成皮革の製造など；織布、不織布、天然繊維及び合成繊維などの製造）のような工業製品用途において；水処理（排水、冷却水、飲料水精製など）；化学薬品漏出封じ込め（酸漏出の吸収体など）；皮革及び獣皮の加工（加工助剤、仕上げ、コーティング、エンボス加工など）；紙及び製紙（着色塗装、帯電防止塗装などのような表面コーティング、パルプ結合剤、表面サイジング、乾燥湿潤強度増強剤、湿式フェルトの製造など）；印刷（インク、抗ウィッキング性インクジェットプリンターインク、アクリル系織物印刷用のカチオン染料含有インク処方用増粘剤）；塗料（顔料及び研磨用添加剤、エポキシラテックスエマルション用架橋剤、粘土用粒子懸濁助剤、顔料など）；工業プラント排水処理（製紙工場排水中のフェノール類用凝集剤など）；金属加工（酸性エッチ洗浄剤、低ｐＨ金属コーティング、冷間圧延鋼加工における酸洗い剤など）；接着剤（透明接着剤、金属、プラスチック、木材などのための接着促進剤、不織フロック接着結合コーティング、結合など）；木材の保存；並びに建築物及び道路用の工業建造物（セメント可塑剤、低ｐＨでのアスファルトエマルジョン安定化剤、セメント用酸エッチ、コンクリート、モルタル、パテの粘稠度改変剤など）に用いることができる。
【００７７】
ポリマーは、１モルあたり約１,０００,０００グラム以下、具体的には１モルあたり約５００,０００グラム以下、具体的には１モルあたり約５０,０００以下、より具体的には１モルあたり約５,０００グラム以下の数平均分子量を有する。
【００７８】
また、他の添加剤を芳香構成物に加えて、芳香製剤を形成することができる。これらの添加剤は任意である。適当な添加剤は、上述してここに表示しないかもしれない成分に加えて、抗酸化剤、オゾン劣化防止剤、抗細菌剤、湿潤剤、着色剤、染料、顔料、食品添加剤、フェロモン、ムスク、炭酸イオン源、アルカリ化剤、ｐＨ緩衝剤、調整剤、錯化剤、助剤、溶媒（例えば、共溶媒）、界面活性剤（洗浄剤、乳化剤、起泡力増進剤、ヒドロトロープ、可溶化剤及び懸濁剤として）、非界面活性懸濁剤、乳化剤、皮膚コンディショニング剤（エモリエント、湿潤剤、保湿剤など）、毛髪コンディショニング剤、毛髪固定剤、被膜形成剤、皮膚保護剤、結合剤、キレート剤、抗微生物剤、抗真菌剤、ふけ防止剤、研磨剤、接着剤、吸収剤、染料、デオドラント剤、制汗剤、乳白化及び真珠光沢剤、防腐剤、噴霧剤、拡散助剤、日焼け止め剤、サンレス皮膚タンニング促進剤、紫外光吸収剤、ｐＨ調整剤、植物成分、毛髪着色剤、酸化剤、還元剤、皮膚脱色剤、顔料、生理活性剤、抗炎症剤、局所麻酔薬、フレグランス及びフレグランス可溶化剤、ポリマーなどである。例えば、オーラルケア製品は、界面活性剤、研磨剤、湿潤剤、風味料など又は前述の添加剤の少なくとも１種を含む組み合わせに加えて、虫歯予防薬、抗歯石剤及び／又は抗プラーク剤を含有することができる。
【００７９】
一実施形態において、芳香製剤を製造する一つの方法では、芳香構成物、前述のアルキルケタールエステル、任意の溶媒、任意の活性薬剤、任意の界面活性剤、任意の増粘剤、任意の相溶化剤及び所望の添加剤を反応器において所望の量で一緒に混合する。反応器はバッチ式反応器でも連続式反応器でもよい。反応器は芳香製剤の攪拌用機構を装備するのが望ましい。必要に応じて、芳香製剤を加熱して、溶媒の幾らかを蒸発させるか、又は芳香構成物とアルキルケタールエステルと任意の溶媒との相溶化を更に推進させることができる。
【００８０】
別の実施形態において、芳香製剤を製造する別の方法では、アルキルケタールエステルを抽出溶媒として用いて、天然に存在する物質から精油のような芳香構成物を抽出してもよい。アルキルケタールエステルを精油と共に保持し、更に加工して所望の芳香製剤を形成してもよい。精油は、蒸気抽出、超臨界抽出又は溶媒抽出により抽出することができる。アルキルケタールエステルを蒸気、超臨界溶媒又は普通の溶媒（超臨界状態でない溶媒）と併用して、精油の抽出を行うことができる。アルキルケタールエステル自体を用いて、精油を抽出することもできる。
【００８１】
蒸気抽出は、通常環境に優しく、水のみを用いて抽出を行う。しかしながら、水は全ての精油に対して良好な溶媒ではない。アルキルケタールエステルを水と併用して、天然に存在する物質から、蒸気のみを抽出に用いることにより抽出されるものよりも更なる精油を抽出することができる。蒸気抽出におけるアルキルケタールエステルの使用は、プロセスを環境に優しくし続けると同時に、天然に存在する物質から更なる油を抽出するのに有効である。
【００８２】
一般に、超臨界抽出は、二酸化炭素を用いて行うが、他の溶媒で行うこともできる。超臨界二酸化炭素とアルキルケタールエステルとのブレンドを用いて、芳香製剤用の精油を抽出することができる。また、アルキルケタールエステルと混合した液体二酸化炭素（超臨界状態ではない）を抽出に用いることもできる。他の超臨界流体をアルキルケタールエステルと混合して精油を抽出することもできる。
【００８３】
一般に、ヘキサン抽出を用いて様々な精油を抽出する。アルキルケタールエステルをヘキサン（又は他の溶媒）と混合して、抽出の改善を容易にすることができる。抽出後のヘキサンから標的分子の分離を目的としてエタノールをしばしば用いる。一実施形態では、アルキルケタールエステルをヘキサンと併用して精油の抽出を容易にする一方、これを用いてヘキサンからの標的分子の分離を容易にすることもできる。標的分子とヘキサンとの混合物中のアルキルケタールエステルの量の割合及び/又は温度を変えることにより、標的分子を抽出後に分離することができる。他の溶媒をアルキルケタールエステルと併用して、標的分子の分離を容易にすることができる。
【００８４】
更に別の実施形態では、アルキルケタールエステル自体を用いて、天然に存在する物質からの様々な精油の抽出を容易にすることができる。アルキルケタールエステルを天然に存在する物質と混合し、適切な温度及び圧力の条件下で、天然に存在する物質からの精油の抽出を容易にすることができる。次いで、得られた生成物に濾過、デカンテーション、蒸留などのような精製プロセスを施して、精油とアルキルケタールエステルとの精製した混合物を得ることができる。次に、精油とアルキルケタールエステルとの混合物を他の適切な成分と混合して、所望の芳香製剤を生成することができる。このように、アルキルケタールエステルは、精油を抽出するのに用い得るばかりでなく、芳香製剤中の可溶化溶媒及び／又は定着剤として役立つことができる。
【００８５】
芳香構成物又は芳香製剤を形成するための混合は、乾式混合、溶融混合、溶液混合又は前述の混合形態のいずれか１種を含む組み合わせにより行ってもよい。乾式混合は、溶媒の使用なしの混合を包含し、一般に２種以上の芳香構成物を混合するために行う。溶融混合は、幾つかの成分の融点より上の温度で混合を行う際に生起し、湿式混合は一般に溶媒の存在下で行う。
【００８６】
製剤の混合は、せん断力、伸長力、圧縮力、超音波エネルギー、電磁エネルギー、熱エネルギー又は前述の力又はエネルギー形態の少なくとも１種を含む組み合わせの使用を伴い、前述の力を一軸スクリュー、多軸スクリュー、み合い型同方向回転若しくは逆回転スクリュー、非み合い型同方向回転若しくは逆回転スクリュー、往復スクリュー、ピンを備えたスクリュー、ロール、ラム、螺旋ローター、又はこれらの少なくとも１種を含む組み合わせにより発揮する処理装置内で行う。
【００８７】
前述の力を伴う混合を、一軸又は多軸スクリュー押出機、バスニーダー、ヘンシェル、ヘリコーン、ロスミキサー、バンバリー、ロールミル、射出成形機、真空成形機、ブロー成形機のような成形機、ケトル、蒸留及び／若しくは濃縮カラムを備えたケトルなど又はこれらの機械のいずれか１種を含む組み合わせのような機械で行ってもよい。
【００８８】
芳香製剤を様々な物品及び用途に用いることができる。これを、化学的な識別子（例えば、においがしない化学物質中又は毒性の若しくは有害な化学物質中で）としてボディーローション、シャンプー、マッサージオイルに、また匂いをマスクするためにパフュームスティック、パフュームランタン、芳香剤、ロウソク、ワニス、塗料、家具、防虫剤、インポリマー、清浄剤、洗剤、化粧品、トイレタリー用品、薬用化粧品、美容補助品、並びにヒト及び動物の皮膚、毛髪、頭皮及び爪に施す個人衛生及び洗浄製品に用いてもよい。芳香製剤を、例えば、スプレー、ゲル（例えば、電気式芳香剤若しくはビーズ）、紙基材（例えば、リアビューミラーから吊るされた車用芳香剤）又は液体（例えば、リードディフューザー若しくは電気式芳香剤用）のような様々な芳香剤に用いる。
【００８９】
本明細書で用いる「ヘルスケア製品」という用語は、健康関連若しくは医学的状態を改善するために、一般に衛生又は健康などを維持するために、またその他のために、ヒト又は動物の身体に外部から又はその中に適用するパッチ、膏薬、包帯などのような医薬品、薬用化粧品、オーラルケア製品（口、歯）、アイケア製品、イヤーケア製品及び市販薬及び歯列矯正装置、並びに医療器具を包含する。「身体」という用語は、体全体（顔、胴体、四肢、手及び足）のケラチン質（毛髪、爪）領域及び非ケラチン質領域、体の開口部の組織並びに目を包含し、「皮膚」という用語は、頭皮及び粘膜を包含する。本明細書で用いる「ハウスホールドケア製品」という用語は、表面清浄、悪臭防止若しくはマスキングのために家庭内の家事で用いる製品、又はキッチン及びバスルームにおけるような衛生状態の維持用の殺菌清浄製品、家具の手入れ及び清浄用のランドリー製品、芳香剤、空気清浄剤、防臭剤／悪臭除去剤、ロウソクなどを包含する。これらの製品は、家庭で、職場で、又は制度的施設で用いることができる。
【００９０】
一般に、芳香構成物又は芳香製剤を濃縮物として物品に加えて、物品に所望の知覚効果を生じさせる。芳香製剤における芳香構成物とアルキルケタールエステルとの比率は、物品の組成に応じて物品物品で変わり得る。加えて、芳香構成物の量も物品の効用に応じて物品物品で変わり得る。
【００９１】
一実施形態では、芳香製剤を有機ポリマー製剤に加えて、有機ポリマーに特定の匂いを付与するか、又は望ましくない匂いをマスクすることができる。芳香製剤を加えることができるポリマーの例は、ポリオレフィン、ポリビニルアセテート、ポリスチレンセルロースアセテート、アクリロニトリルブタジエンスチレン、ポリアクリル類(ｐｏｌｙａｃｒｙｌｉｃｓ)、ポリカーボネート、ポリアミド、ポリウレタン、エポキシ化合物及びポリエステルである。
【００９２】
下記実施例は、限定することを意味するものではなく、本明細書で開示した構成物及び製剤及び方法の幾つかを実施するものである。
【実施例】
【００９３】
［例１〜４４］
アルキルケタールエステル及び精油を含む可溶性製剤を実証するために次の例を実施した。
【００９４】
表１は、アルキルケタールエステルと精油とを混合することによって得た４４個の異なる芳香製剤（試料番号１〜４４）を示す。アルキルケタールエステルと精油とを、穏やかな攪拌を利用して室温で１：１の重量比で混合した。溶解度を、混合後直ちに目視により求めた。透明な溶液を「混和性」として記載し、濁っているか又は第二相の形跡を示す溶液を「不混和性」として表示した。Ｅｔ−ＬＧＫはレブリン酸エチルのグリセロールケタールの略記であり、一方Ｅｔ−ＬＰＫはレブリン酸エチルのプロピレングリコールケタールの略記であり、両方ともアルキルケタールエステルである。Ｂｕ−ＬＧＫはレブリン酸ブチルのグリセロールケタールの略記である。
【００９５】
【表１】
0005980774.tif 000013
【００９６】
［例４５〜５７］
これらの例を行って、芳香製剤を得るためのアルキルケタールエステルの相溶化能力を実証した。表２は、アルキルケタールエステル、水及び精油を含有する７個の構成物（試料番号４５〜５１）を示す。各成分のそれぞれの重量百分率を、該成分が混和性であるか不混和性であるかと共に表２に示す。表４は、エタノールを含有する比較構成物（試料番号５２〜５７）を列挙する。表２及び表４の両方において、成分を室温で加えて、振盪によって穏やかに攪拌した。溶解度は、混合直後に視覚的に求めた。透明な溶液を「混和性」と記載し、濁っているか又は第二相の証拠を示す溶液を「不混和性」と表示した。油状混合物Ａの組成を以下の表３に示す。
【００９７】
【表２】
0005980774.tif 000014
【００９８】
【表３】
0005980774.tif 000015
【００９９】
【表４】
0005980774.tif 000016
【０１００】
上記の例から、精油を溶媒和させるためにアルキルケタールエステルを芳香製剤に効果的に用いることができることが分かる。アルキルケタールエステルは、芳香製剤の総重量に対し約４０〜約８０重量％、具体的には約５０〜約７０重量％の量で芳香製剤に用いることができる。
【０１０１】
［例５８〜１１１］
以下の例は、様々な芳香構成物とアルキルケタールエステルとの間の相溶性又は非相溶性を示す。表５は列挙した油でのＥｔ−ＬＧＫの溶解度を示す。表６は列挙した油でのＢｕ−ＬＧＫの溶解度を示す一方、表７は列挙した油でのＥｔ−ＬＰＫの溶解度を示す。
【０１０２】
【表５】
0005980774.tif 000017
【０１０３】
【表６】
0005980774.tif 000018
【０１０４】
【表７】
0005980774.tif 000019
【０１０５】
上記表５〜７から、植物油、動物脂及び誘導体を含む材料が有用な芳香化合物であり、少なくとも１種のアルキルケタールエステルと相溶できることが分かる。有用な芳香化合物の例としては、例えば、アサイー油、アーモンド油、アロエベラ油、アンジローバ油、アナトー油、アボカド油、ババス油、ボリジ油、ブラジルナッツ油、ブリチ油、カメリナ油、コーヒー油、コパイバ油、エミュー油、パッションフルーツ油、アーモンド油、ヒマシ油、ココナツ油、グレープシード油、ホホバ油、マカダミアナッツ油、ローズヒップ油、アジョワン油、アンジェリカルート油、アニス油、アラガン油、アサフェティダ、バルサム油、バジル油、ベイ油、ベルガモット油、黒コショウ精油、ブッコ油、バーチ油、樟脳、大麻油、キャラウェイ油、カルダモンシード油、キャロットシード油、カモミール油、カラマスルート油、シナモン油、シトロネラ油、クラリセージ、クローブリーフ油、コーヒー、コリアンダー、コストマリー油、クランベリーシード油、クベバ、クミン油、糸杉、シプリオル、カレーリーフ、ダバナ油、ジル油、オオグルマ、ユーカリ油、フェンネルシード油、フェヌグリーク油、モミ、フランキンセンス油、ガランガル、ゼラニウム油、ジンジャー油、アキノキリンソウ、グレープフルーツ油、グレープシード油、ヘナ油、ヘリクリサム、ホースラディッシュ油、ヒソップ、アイダホタンジー、ジャスミン油、ジュニパーベリー油、ラベンダー油、レモン油、レモングラス、マジョラム、メラレウカ、レモンバーム油、マウンテンセイボリー、ヨモギ油、マスタード油、ミルラ油、ギンバイカ、ニームツリー油、ネロリ、ナツメグ、オレンジ油、オレガノ油、オリス油、パロサント、パセリ油、パチュリ油、エゴマ油、ペニーロイヤル油、ペパーミント油、ペチグレン、マツ油、プラム油、ラベンサラ、アカスギ、ローマカミツレ、ローズ油、ローズヒップ油、ローズマリー油、ローズウッド油、ビャクダン油、ササフラス油、セイボリー油、マツブサ油、スパイクナード、トウヒ、スターアニス油、タンジェリン、タラゴン油、ティーツリー油、タイム油、ツガ油、ターメリック、バレリアン、ベチバー油、ベイズギ、ウィンターグリーン、ヤロー油、イランイラン及びガジュツ油が挙げられる。
【０１０６】
少なくとも６、少なくとも７、少なくとも８又は少なくとも１０の所要ＨＬＢを有する油は、より容易にアルキルケタールエステルに溶解する傾向があり、アルキルケタールエステルが油相中に少なくとも部分的に存在するか、又はアルキルケタールエステルが油中で分解若しくは溶解する場合に好まれる。
【０１０７】
［例１１２〜１１４］
これらの例は、アルキルケタールエステルを含有する芳香料製剤の製造を示す。表８は例１１２〜１１４を表す。構成成分を室温で加え、浸透によって穏やかに攪拌した。溶解度は、混合直後に視覚的に求めた。全ての製剤は透明であった。組成は重量百分率（ｗｔ％）で示す。
【０１０８】
【表８】
0005980774.tif 000020
【０１０９】
［例１１５］
これは、芳香剤の製造を説明する机上の実験例である。配合物を下記表９に列挙する。芳香剤を製造するためには、Ａ部分及びＢ部分の成分を最初に個々に混合し、次いで継続的に混合しながら一緒に加える。Ａ部分の成分を表９に列挙した順序で加え、次いで最低でも３０分間混合する。水を１００〜１３０゜Ｆまで加熱する。
【０１１０】
【表９】
0005980774.tif 000021
【０１１１】
［例１１６〜１２５］
以下の例は、ロウソクへの芳香製剤の使用を示すために行った。様々なワックスとアルキルケタールエステルとの相溶性を、以下に詳述した通りに最初に求めた。下記表１０は、芳香構成物を含有する１０個の異なるロウソク（例１１６〜１２５）用の芳香製剤を詳述する。
【０１１２】
［蜜蝋］
蜜蝋とＥｔ−ＬＧＫとを５０／５０の重量比で容器内に量り入れ、８０℃まで加熱して均一な溶融混合物を形成した。室温まで冷却すると２つの層を形成した。２５／７５の重量比のＥｔ−ＬＧＫ対蜜蝋では、均一な液体混合物を８０℃で形成し、冷却すると単一の均質なワックス層を形成した。
【０１１３】
蜜蝋とＢｕ−ＬＧＫとを５０／５０の重量比で容器内に量り入れ、８０℃まで加熱して均一な溶融混合物を形成した。この混合物は、室温まで冷却すると単一の均質なワックス層を形成した。
【０１１４】
蜜蝋とＥｔ−ＬＰＫとを５０／５０の重量比で容器内に量り入れ、８０℃まで加熱して均一な溶融混合物を形成した。この混合物は、室温まで冷却すると単一の均質なワックス層を形成した。
【０１１５】
［パラフィンワックス］
パラフィンワックスとＥｔ−ＬＧＫとを５０／５０の重量比で容器内に量り入れ、８０℃まで加熱して均一な溶融混合物を形成した。室温まで冷却すると２つの層を形成した。パラフィンワックスとＥｔ−ＬＧＫとを９０／１０の重量比で容器内に量り入れ、８０℃まで加熱して均一な溶融混合物を形成した。この混合物は、室温まで冷却すると単一の均質なワックス層を形成した。
【０１１６】
パラフィンワックスとＢｕ−ＬＧＫとを７５／２５の重量比で容器内に量り入れ、８０℃まで加熱して均一な溶融混合物を形成した。この混合物は、室温まで冷却すると単一の均質なワックス層を形成した。
【０１１７】
パラフィンワックスとＥｔ−ＬＰＫとを５０／５０の重量比で容器内に量り入れ、８０℃まで加熱して均一な溶融混合物を形成した。この混合物は、室温まで冷却すると単一の均質なワックス層を形成した。パラフィンワックスとＥｔ−ＬＰＫとを７５／２５の重量比で容器内に量り入れ、８０℃まで加熱して均一な溶融混合物を形成した。この混合物は、室温まで冷却すると単一の均質なワックス層を形成した。
【０１１８】
缶詰製造及びロウソク製作用のガルフワックス銘柄の家庭用パラフィンワックス(ロイヤルオークエンタープライズ社により流通)をこれらの実験に用いた。
【０１１９】
［カルナウバロウ］
カルナウバロウとＥｔ−ＬＧＫとを５０／５０の重量比で容器内に量り入れ、１２０℃まで加熱して均一な溶融混合物を形成した。室温までの冷却により２つの層が形成した。７５／２５の重量比のカルナウバロウ対Ｅｔ−ＬＧＫでは、均一な液体混合物を１２０℃で形成し、冷却すると単一の均質なワックス層を形成した。
【０１２０】
カルナウバロウとＢｕ−ＬＧＫとを５０／５０の重量比で容器内に量り入れ、１２０℃まで加熱して均一な溶融混合物を形成した。冷却すると単一の均質なワックス層を形成した。
【０１２１】
カルナウバロウとＥｔ−ＬＰＫとを５０／５０の重量比で容器内に量り入れ、１２０℃まで加熱して均一な溶融混合物を形成した。冷却すると単一の均質なワックス層を形成した。
【０１２２】
［キャンデリラロウ］
キャンデリラロウとＥｔ−ＬＧＫとを７５／２５の重量比で容器内に量り入れ、１２０℃まで加熱して均一な溶融混合物を形成した。室温まで冷却すると２つの層を形成した。９０／１０の重量比のキャンデリラロウ対Ｅｔ−ＬＧＫでは、均一な液体混合物を１２０℃で形成し、冷却すると単一の均質なワックス層を形成した。
【０１２３】
キャンデリラロウとＢｕ−ＬＧＫとを５０／５０の重量比で容器内に量り入れ、１２０℃まで加熱して均一な溶融混合物を形成した。冷却すると単一の均質なワックス層を形成した。
【０１２４】
キャンデリラロウとＥｔ−ＬＰＫとを５０／５０の重量比で容器内に量り入れ、１２０℃まで加熱して均一な溶融混合物を形成した。冷却すると単一の均質なワックス層を形成した。
【０１２５】
［天然ロウＰ−１］
天然ロウＰ−１とＥｔ−ＬＧＫとを７５／２５の重量比で容器内に量り入れ、８０℃まで加熱して均一な溶融混合物を形成した。冷却すると単一の均質なワックス層を形成した。
【０１２６】
天然ロウＰ−１とＢｕ−ＬＧＫとを５０／５０の重量比で容器内に量り入れ、８０℃まで加熱して均一な溶融混合物を形成した。冷却すると単一の均質なワックス層を形成した。
【０１２７】
天然ロウＰ−１とＥｔ−ＬＰＫとを７５／２５の重量比で容器内に量り入れ、８０℃まで加熱して均一な溶融混合物を形成した。冷却すると単一の均質なワックス層を形成した。
【０１２８】
［天然ロウＣ−１］
天然ロウＣ−１とＥｔ−ＬＧＫとを９０／１０の重量比で容器内に量り入れ、８０℃まで加熱して均一な溶融混合物を形成した。冷却すると単一の均質なワックス層を形成した。
【０１２９】
天然ロウＣ−１とＢｕ−ＬＧＫとを５０／５０の重量比で容器内に量り入れ、８０℃まで加熱して均一な溶融混合物を形成した。冷却すると単一の均質なワックス層を形成した。
【０１３０】
天然ロウＣ−１とＥｔ−ＬＰＫとを９０／１０の重量比で容器内に量り入れ、８０℃まで加熱して均一な溶融混合物を形成した。冷却すると単一の均質なワックス層を形成した。
【０１３１】
［天然ロウＣ−３］
天然ロウＣ−３とＥｔ−ＬＧＫとを９０／１０の重量比で容器内に量り入れ、８０℃まで加熱して均一な溶融混合物を形成した。冷却すると単一の均質なワックス層を形成した。
【０１３２】
天然ロウＣ−３とＢｕ−ＬＧＫとを９０／１０の重量比で容器内に量り入れ、８０℃まで加熱して均一な溶融混合物を形成した。冷却すると単一の均質なワックス層を形成した。
【０１３３】
天然ロウＣ−３とＥｔ−ＬＰＫとを９０／１０の重量比で容器内に量り入れ、８０℃まで加熱して均一な溶融混合物を形成した。冷却すると単一の均質なワックス層を形成した。
【０１３４】
［ステアリン酸］
ステアリン酸とＥｔ−ＬＧＫとを５０／５０の重量比で容器内に量り入れ、８０℃まで加熱して均一な溶融混合物を形成した。室温まで冷却すると２つの層を形成した。２５／７５の重量比のＥｔ−ＬＧＫ対ステアリン酸では、均一な液体混合物を８０℃で形成し、冷却すると単一の均質なワックス層を形成した。
【０１３５】
ステアリン酸とＥｔ−ＬＰＫとを５０／５０の重量比で容器内に量り入れ、８０℃まで加熱して均一な溶融混合物を形成した。この混合物は、室温まで冷却すると単一の均質なワックス層を形成した。
【０１３６】
下記表１０は、上述したワックスとアルキルケタールエステルとを含有する様々なロウソク用の配合物を説明する。該配合物は、３つの部分（Ａ部分、Ｂ部分及びＣ部分）を組み合わせることにより製造した。ロウソク配合物１１６〜１２０（例１１６〜１２０）は、Ａ部分を容器内に量り入れ、混合物が液体形態となるまで８０℃で加熱することによって製造した。容器を熱源から取り外し、Ｃ部分をその容器に加えた。この混合物が液体のままである間に、該混合物を入れ物に注入し、金属のつまみの台座を備えた芯を混合物の中心に挿入した。完成したロウソクを室温まで冷却した。
【０１３７】
ロウソク配合物１２１〜１２４（例１２１〜１２４）は、Ａ部分を容器内に量り入れ、混合物が液体となるまで８０℃で加熱することにより製造した。Ｂ部分をＡ部分に加え、２分間混合した。この容器を熱源から取り外し、Ｃ部分をその容器に加えた。この混合物が液体のままである間に、該混合物を入れ物に注入し、金属のつまみの台座を備えた芯を混合物の中心に挿入した。完成したロウソクを室温まで冷却した。例１２４は、ロウソク鋳型に注入する前に６５℃まで冷却した。例１２１〜１２４は、小型のティーライトキャンドルサイズの入れ物に注入した。
【０１３８】
ロウソク配合物１２５は、Ｂ部分の成分を計量することにより製造した。Ｂ部分を手動で混合し、脇に置いた。Ａ部分の成分を容器内に量り入れ、この混合物が液体となるまで８０℃で加熱した。Ｂ部分の予備混合物をＡ部分に加え、２分間一緒に混合した。Ａ部分及びＢ部分を含む容器を熱源から取り外し、Ｃ部分を加えた。この混合物を６５℃まで冷却し、次いで入れ物に注入し、金属のつまみの台座を備えた芯を混合物の中心に挿入した。完成したロウソクを室温まで冷却した。
【０１３９】
【表１０】
0005980774.tif 000022
【０１４０】
全ての配合物がロウソクを形成した。亀裂の兆候を示さないロウソク１２３（例１２３）を除き、注入した全てのロウソクは冷却すると芯の近くにただ１個の亀裂を生じた。亀裂は、特に植物油に基づくロウを用いた当業界で既知の問題（例えば、米国特許第６５０３２８５号を参照）であり、一般にワックスの選択、ワックス混合物、冷却速度、添加剤及び当業界で既知の他の製剤態様で軽減することができる。
【０１４１】
着色したロウソクの全ては、入れ物内のロウソクの底に顔料が沈んでいる兆候を示した。ロウソク１２５は、顔料とアルキルケタールエステルとを予備混合することにより、より良好な顔料の組み込みを示す深い赤色を示した。
【０１４２】
［例１２６］
この例は、バニリンを含む芳香構成物の芳香料製剤（ロウソク）への使用を実証するために行った。構成物の成分を下記表１１に示す。構成物の成分を２つの部分−Ａ部分及びＢ部分に分け、次いで下記のように処理した：バニリンが完全に溶解するまで、Ｂ部分の成分を室温で混合した。別の入れ物内では、均一な溶融混合物が形成するまでＡ部分を８０℃で加熱した。次いで、Ｂ部分をＡ部分に加えて（その間は８０℃）、均一になるまで混合した。次いで、入れ物内のＡ部分及びＢ部分をロウソク鋳型に注入した。ロウソクに芯を加えなかった。
【０１４３】
【表１１】
0005980774.tif 000023
【０１４４】
冷却すると固形の均一なロウソクを形成し、分離の兆候はなかった
【０１４５】
上記例で分かるように、代表的な芳香製剤は、芳香構成物と、アルキルケタールエステルと、（ａ）パラフィン系、ナフタレン系又は芳香族系鉱油；（ｂ）４５℃未満の融点と、少なくとも１９０の分子量と、アミド又はエステル基と、少なくとも８個の炭素原子を含有するアルキル鎖と、９９部の水に１部以下である水への溶解度とを有する非イオン性有機化合物；（ｃ）４５℃未満の融点と、９９部の水に１部以下である水への溶解度を有する非イオン性有機シリコーン化合物；（ｄ）長鎖アルコール；及び（ｅ）ワックスの少なくとも一つとを含む。
【０１４６】
［例１２７］
バニリンを、室温にてＥｔ−ＬＧＫ中に１０重量％固形分で溶解し、透明な均一混合物を形成させた。バニリンを、室温にてＢｕ−ＬＧＫ中に２５重量％固形分で溶解した。この混合物は最初不溶であるように見えたが、５日の間にバニリンが溶解して透明な均一混合物を生じた。溶解は８０℃で非常に速まった。
【０１４７】
バニリンを、わずかに加熱（８０℃）しながらＥｔ−ＬＰＫ中に２５重量％固形分で溶解した。この混合物は、高温で透明な均一溶液を形成し、室温で最初は透明な均一溶液としてとどまっていた。１時間以内で、沈殿の兆候が室温で現れた。バニリンを室温にてＥｔ−ＬＰＫ中に１０重量％固形分で溶解し、透明な均一混合物を形成させた。
【０１４８】
本明細書で用いる単数形“ａ”、“ａｎ”及び“ｔｈｅ”は、文脈上特に明記しない限り、複数形も同様に包含することを意図する。同一の成分又は特性を対象とする全ての範囲の両端値は、修飾詞「の間（ｂｅｔｗｅｅｎ）」を用いる場合を除き、端値を含めて、また独立に組み合わせ可能である。量に関連して用いる修飾詞「約（ａｂｏｕｔ）」は、表示値を含めて、文脈上決定される意味を有する（例えば、具体的な量の測定に関連した誤差の程度を含む）。「組み合わせ」は、ブレンド、混合物、合金、反応生成物などを含める。
【０１４９】
一般に、製剤又は方法は、開示したあらゆる適当な成分又は工程を代替的に含むか、それからなるか、又はそれを実質的に含む。本発明は、更に又或いは、先行技術製剤で用いるか、さもなければ請求の範囲の機能及び/又は目的を達成するのに必要でないあらゆる構成要素、材料、成分、賦形剤、種又は工程を欠くか又は実質的に含まないように策定することができる。
【０１５０】
特に明記しない限り、全ての用語（技術的及び化学的用語を含む）は、本発明が属する分野の当業者により一般的に理解できる同じ意味を有する。化合物は正式名称を用いて記載する。あらゆる指示基により置換していないあらゆる位置は、指示された通りの結合又は水素原子によって満たされた価数を有する。２個の文字又は記号の間にないダッシュ（「−」）を用いて、置換基について結合の点を表示する。例えば、−ＣＨＯは、カルボニル基の炭素により結合されている。
【０１５１】
「アルキル」とは、特定した数の炭素原子を有する直鎖又は分枝鎖の飽和脂肪族炭化水素を意味する。「アルキレン」とは、特定した数の炭素原子を有する直鎖又は分枝鎖の二価の脂肪族炭化水素基を意味する。「アリール」とは、全ての環員が炭素であり環が芳香族性である環式部分を意味する。２個以上の環が存在してもよく、あらゆる追加の環は、独立に芳香族性、飽和又は部分的に不飽和であってもよく、また融合していても、ぶら下がっていても、スピロ環状であっても、又はそれらの組み合わせであってもよい。様々な化合物の立体化学的性質を明確に示していないが、この開示は全ての異性体を包含することが理解されるべきである。
【０１５２】
全ての引用した特許、特許出願及び他の参考文献は、参照によりそれらの全体を援用する。
【０１５３】
本発明を幾つかの実施形態を参照して説明しているが、本発明の範囲から離れることなく、様々な変更を行ってもよく、また等価物を本発明の要素と置き換えてもよいことは、当業者に理解されるであろう。加えて、本発明の本質的な範囲から離れることなく数多くの改変を行って、特定の状況又は材料を本発明の教示に適合させてもよい。従って、本発明は本発明の実施の為に熟考した最良の形態として開示した特定の実施形態に限定されないが、本発明は添付した特許請求の範囲の範囲内に含まれる全ての実施形態を包含することを意図する。